(57)【要約】【課題】簡便な構造で液ハンマー現象などによる機器の損傷を防ぎ、信頼性の高い冷却装置を得る。【解決手段】冷媒を圧縮する圧縮機１と、冷媒を凝縮させる凝縮器２と、冷媒の流路の開放又は閉塞により冷媒の流れを制御する電磁弁３と、冷媒の流量を制御して圧力調整をする膨張弁４と、冷媒を冷却する冷却器５とを配管接続して冷媒循環回路を構成する冷凍・冷蔵システムであって、膨張弁４は、ばね４２とばね４２の弾性力によって変位して流路の開口の面積を変化させるオリフィス４１とを有し、電磁弁３の冷媒流出側における流路の方向とオリフィス４１が膨張弁４内を移動する方向とが直交するように電磁弁３と膨張弁４とが接続されるとともに、ばね４２が伸びるとオリフィス４１が開口の面積を小さくし、ばね４２が縮むとオリフィス４１が開口の面積を大きくする。【選択図】図３
2015028423.tif 000002
【特許請求の範囲】
【請求項１】
冷媒の流路を開放又は閉塞して冷媒の流れを制御する開閉装置と、
前記冷媒の流量を制御して冷媒の圧力を調整し、冷却対象を冷却する冷却器に流入させる絞り装置とを有する冷却装置であって、
前記絞り装置は、ばねと前記ばねの弾性力によって変位して流路の開口の面積を変化させるオリフィスとを有し、
前記開閉装置の冷媒流出側における流路の方向と前記オリフィスが前記絞り装置内を移動する方向とが直交するように前記開閉装置と前記絞り装置とが接続されるとともに、前記ばねが伸びると前記オリフィスが前記開口の面積を小さくし、前記ばねが縮むと前記オリフィスが前記開口の面積を大きくすることを特徴する冷却装置。
【請求項２】
前記開閉装置を流出して前記絞り装置に流入した冷媒は、前記オリフィスの側面に当たった後、前記開口を通過することを特徴とする請求項１に記載の冷却装置。
【請求項３】
前記開閉装置は、電磁弁コイルによって移動するピストンを有し、
前記ピストンの移動する方向は、前記開閉装置に流入して前記ピストンへ流れる冷媒の方向と直交していることを特徴とする請求項１又は２に記載の冷却装置。
【請求項４】
前記ピストンの移動する方向と前記オリフィスの移動する方向とは平行であることを特徴する請求項３に記載の冷却装置。
【請求項５】
前記開閉装置および前記絞り装置を同じ筐体内に配置することを特徴とする請求項１〜４のいずれか一項に記載の冷却装置。
【請求項６】
前記冷却器をさらに前記筐体内に配置することを特徴とする請求項５に記載の冷却装置。
【請求項７】
冷媒を圧縮する圧縮機及び前記冷媒を凝縮させる凝縮器を有する冷凍機と、
請求項１〜６のいずれかに記載の冷却装置と
を配管接続して冷媒循環回路を構成することを特徴とする冷凍サイクル装置。
【発明の詳細な説明】
【技術分野】
【０００１】
この発明は冷却装置に関するものである。例えば業務用の冷凍、冷蔵等を行う冷却装置等において、膨張弁（絞り装置）、電磁弁（開閉装置）等を保護するための構造等に関するものである。
【背景技術】
【０００２】
例えば、冷凍サイクルを利用した冷凍サイクル装置では、基本的に、圧縮機、凝縮器（熱交換器）、膨張弁（絞り装置）及び蒸発器（熱交換器）が配管接続され、冷媒を循環させる冷媒回路を構成している。そして、冷媒が、蒸発、凝縮時に、熱交換対象となる空気から吸熱、放熱することを利用し、管内の圧力等を変化させながら冷却動作などを行っている。
【０００３】
このような冷凍サイクル装置において、冷凍・冷蔵庫（室）（以下、冷蔵室という）内に配置されるユニットクーラ、ショーケース等の冷却装置と、冷凍機とを配管接続して構成する冷凍・冷蔵システムがある。例えば冷凍機は圧縮機、凝縮器を有し、冷却装置は膨張弁、蒸発器を有して冷媒回路を構成している。そして、例えば、冷凍・冷蔵システムでは、冷蔵室内の温度が所定温度以下になると圧縮機の駆動を停止する等して運転を停止する。そして、冷蔵室内の温度が上昇すると運転を再開する。運転を停止する場合に、冷媒回路内の冷媒の流れを停止するために、膨張弁と分離・独立した電磁弁（開閉装置）を、さらに冷媒回路に設けている。
【０００４】
例えば、冷蔵室内の温度が上昇し、制御装置等から運転開始指令の信号が出力されると、電磁弁は閉じていた弁を開いて冷媒が流れるようにする。ここで、電磁弁でせきとめられていた冷媒は冷蔵室内の低温空気により冷却され、過冷却がついた状態である。このような冷媒が膨張弁に勢いよく流入すると液ハンマー現象が生じ、膨張弁を損傷する可能性がある。
【０００５】
例えば、電磁弁３が閉開弁する回数は１時間に４〜６回あり、製品の寿命期間とされる１０年間では３５万回〜５３万回にも達する。このような高い衝撃圧を繰り返し加えられることにより、膨張弁は大きな損傷をうけ、最終的には機器が正常に動作せず、冷媒サイクルにおける膨張工程が正常に動作せずに冷蔵室の温度上昇を引き起こす可能性がある。これにより、収容物の冷却が維持できずに品質低下を招く恐れがある。また、液ハンマー現象によって非常に大きな衝撃圧が加わることで、非常に大きな異常音および異常振動が発生することにもなる。
【０００６】
そこで、液ハンマー現象を防止するために、使用する膨張弁を電子制御式膨張弁とし、電子膨張弁の下流側に電磁弁を配置することで改善しようとする冷却装置がある（例えば、特許文献１参照）。
【０００７】
また、液ハンマー現象は液状の冷媒（液冷媒）の密度に関係しており、液密度が高くなればなるほど衝撃圧も高くなる。そこで、衝撃圧を低下させるため液密度を低下させる制御を冷凍装置に組み込む方法が提案されている。具体的には、液冷媒の過冷却を抑制するように制御することができる冷凍装置が提案されている（例えば、特許文献２参照）。
【０００８】
また、液密度を小さくするために、電磁弁の上流側の配管にヒータを巻きつけ加熱できるようにし、加熱により液冷媒の温度を上昇させることで、液冷媒における液密度を低下させるようにする冷凍装置が提案されている（例えば、特許文献３参照）。
【先行技術文献】
【特許文献】
【０００９】
【特許文献１】特開２００８−２４１２３８号公報
【特許文献２】特許第４４７６９４６号公報
【特許文献３】特開平１１−３２５６５４号公報
【発明の概要】
【発明が解決しようとする課題】
【００１０】
近年、省エネルギー、オゾン層破壊防止、地球温暖化防止などの目的から、Ｒ４１０Ａ、Ｒ４０４Ａ、Ｒ３２、ＣＯ２等のような高密度化された冷媒が用いられていく傾向がある。上述のように液ハンマー現象は液冷媒の密度が高くなるほど衝撃圧力も大きくなる。例えば、Ｒ４１０Ａの衝撃圧はＲ４０４Ａに対して約１．４倍の衝撃圧になる。したがって、高密度冷媒になればなるほど液ハンマー現象が顕著になる傾向がある。また、例えば、電磁弁が閉開弁する回数は１時間に４〜６回あり、製品の寿命期間である１０年間では３５万回〜５３万回にも達する。
【００１１】
このため、このような高い衝撃圧を繰り返し加えられることにより、膨張弁が損傷するおそれがある。膨張弁が損傷し作動しなくなることで冷媒回路中において膨張行程を正常に行うことができず、これにより、冷蔵室の温度上昇を引き起こし、収容物の品質低下を招くおそれがある。また、液ハンマーによる衝撃により、冷媒が衝突する際に非常に大きな異常音および異常振動が発生することにもなる。
【００１２】
また、その衝撃圧が膨張弁だけでなく、接続配管に伝達し、接続配管の疲労限界を超えることにより接続配管の折損を引き起こす可能性もある。接続配管が折損すると冷媒回路内の冷媒がガスとして冷蔵室内に放出される。このため、冷媒回路内の冷媒ガスが希薄な状態となり冷蔵室の温度上昇により収容物の品質低下を招く。また、冷蔵室は外気の侵入を防止するため比較的密閉性が高く設計されており、配管折損により冷媒配管内の冷媒が冷蔵室内に流れ込むと、冷蔵室内の酸素濃度が低下する。例えば、冷蔵庫内で作業している作業員がいれば酸欠状態となり人命にかかわる事故に繋がるおそれもある。また冷媒回路内の冷媒が大気中に放出されると地球温暖化を促進してしまい、地球環境保護の観点からも非常に大きな影響がある。
【００１３】
また、電子式膨張弁を用いて制御する場合には制御基板が必要となる。膨張弁が配置される空間の温度が制御基板の許容温度より低い場合（例えば−２５℃等）には、制御基板を冷凍室内に配置することができない。このため、専用の制御基板用ボックス（収納箱）を電子式膨張弁近隣に配置する必要がある。専用ボックスを配置することにより、ボックス配置作業の増大、コストの増大を招く。
【００１４】
また、過冷却を抑制する場合、制御を搭載する方法で衝撃圧を改善しようとしている。システムの消費電力を抑え、冷凍能力を増大させるためには液冷媒を十分に過冷却しておくことが望ましい。しかし、液ハンマー現象を抑制するために過冷却を抑制する制御を行うことで、消費電力低減および能力増大を犠牲にすることとなる。例えば冷蔵室内の冷却負荷が増えた場合に能力を犠牲にした運転を実施していると、室内温度の上昇を引き起こし、冷却物の品質低下を招くことになる。また、消費電力量低減を犠牲にすることにより省エネルギーに反する運転を行うことになる。
【００１５】
そして、ヒータで加熱することで過冷却を抑制する場合においても、液冷媒の過冷却をヒータにより失うことになるため、消費電力の増大および冷却能力の低下を招き、ひいては室内温度の上昇を引き起こし冷却物の品質低下を招くことになる。また、ヒータを加熱するための電力が無駄になるばかりか、ヒータそのものの設置等にコストがかかり、またそのヒータを取り付ける作業性の悪化も発生する。
【００１６】
そこで、簡便な構造等を実現しつつ、液ハンマー現象などによる機器の損傷を防ぎ、信頼性の高い冷却装置を得ることを目的とする。
【課題を解決するための手段】
【００１７】
この発明に係る冷却装置は、上記のような課題を解決するためになされたもので、冷媒の流路を開放又は閉塞して冷媒の流れを制御する開閉装置と、冷媒の流量を制御して冷媒の圧力を調整し、冷却対象を冷却する冷却器に流入させる絞り装置とを有する冷却装置であって、絞り装置は、ばねとばねの弾性力によって変位して流路の開口の面積を変化させるオリフィスとを有し、開閉装置の冷媒流出側における流路の方向とオリフィスが絞り装置内を移動する方向とが直交するように開閉装置と絞り装置とが接続されるとともに、ばねが伸びるとオリフィスが開口の面積を小さくし、ばねが縮むとオリフィスが開口の面積を大きくする。
【発明の効果】
【００１８】
この発明による冷却装置では、開閉装置の開閉部分と絞り装置の流量調整部分となるオリフィスの移動方向が直交するように開閉装置と絞り装置とを接続することで、ばねに加わる衝撃圧を緩和することができ、絞り装置の損傷を防止することができる。このため、冷凍システムの運転を安定的に行うことができ、例えば冷蔵室内の冷却対象物の温度を適切に維持して、品質低下を招くことのない信頼性の高い冷却装置を提供することができる。また冷媒が衝突する際に発生する非常に大きな異常音および異常振動を防止することができる。
【００１９】
また、衝撃圧を緩和できることにより、システム全体としても接続配管の疲労限界を超え接続配管の折損を引き起こすことを防止することが可能となる。このため、折損によって冷媒回路内の冷媒（フロンガス等）が冷蔵室内に放出されるのを防止することができる。したがって、冷蔵室の温度上昇により収容物の品質低下を防止できる。また、冷蔵庫内の酸素濃度の低下を防止することができるので、冷蔵室内で作業している作業員が安全に作業できる空間を提供することができる。また、冷媒回路内の冷媒を大気中に放出するのを防ぐことができるので、地球温暖化を防止することにもつながる。
【図面の簡単な説明】
【００２０】
【図１】この発明の実施の形態１における冷凍・冷蔵システムの構成図である。
【図２】冷蔵室１００の内部と冷却装置２０との関係を示した図である。
【図３】この発明の実施の形態に係る電磁弁３及び膨張弁４の構造の詳細図である。
【図４】電磁弁３と膨張弁４との間の空間容積と衝撃圧との関係を表す図である。
【発明を実施するための形態】
【００２１】
実施の形態１．
図１はこの発明の実施の形態１における冷凍・冷蔵システム（冷凍サイクル装置）の構成を表す図である。ここで、以下で説明する温度、圧力の高低については、特に絶対的な値との関係で高低等が定まっているものではなく、装置等における状態、動作等において相対的に定まる関係に基づいて表記しているものとする。
【００２２】
図１におけるシステムは、圧縮機１、凝縮器２、電磁弁３、膨張弁４及び冷却器５を順次冷媒配管で接続し、冷媒回路（冷媒循環回路）を構成している。そして、冷媒として、フロン冷媒（Ｒ４０４Ａ、Ｒ４１０Ａなど）、自然冷媒（ＣＯ２、ＮＨ３など）などが冷媒回路を循環する。ここで、図１に示すように、例えば冷蔵室１００外に設置される冷凍機１０が圧縮機１及び凝縮器２を有しているものとする。また、冷蔵室１００内に設置される冷却装置２０が電磁弁３、膨張弁４及び冷却器５を有しているものとする。
【００２３】
図２は冷蔵室１００の内部と冷却装置２０との関係を示した図である。本実施の形態では、冷却対象空間となる冷蔵室１００内に、冷却器５並びに膨張弁４及び電磁弁３を一体の筐体内に収容した冷却装置２０を配置する。そして、膨張弁４で低温低圧となった冷媒を冷却器５にて冷蔵室１００内の空気と熱交換することにより冷蔵室１００内の空気を冷却して、低温状態とする。
【００２４】
図１に示す圧縮機１は、冷媒を吸入し、圧縮して高温・高圧の状態にして吐出する。ここで、圧縮機１については、例えばインバータ回路等の回転数制御により、冷媒の吐出量を調整できるタイプの圧縮機で構成していることが望ましい。凝縮器２は、冷蔵室１００外の空気（外気）と冷媒との間で熱交換を行い、冷媒を凝縮液化させる熱交換器である。
【００２５】
また、開閉装置となる電磁弁３は、システムが運転を停止したときに、冷却器５に冷媒を流入させず、冷媒が冷媒回路を循環しないように流路を閉止するための弁である。例えば、後述するように、膨張弁４が感温式膨張弁のような場合には感温筒（図示せず）が検知する温度により開度を変化させるため、流路の開閉を確実に行う装置として電磁弁３を用いる。そして、絞り装置となる膨張弁４は、冷媒を減圧して膨張させるものである。本実施の形態では、例えば制御装置（制御基板）などを膨張弁４の近傍に設けることなく、冷媒流量などの調整を行うことができる感温式膨張弁で構成するものとする。ここで、膨張弁４を通過して気液二相状態となった冷媒が電磁弁３を通過するようにすると、圧力損失が大きくなる。そこで、冷媒回路における電磁弁３と膨張弁４との位置関係については、冷媒の流れに対して膨張弁４が電磁弁３よりも下流側となる（電磁弁３が凝縮器２側となり膨張弁４が冷却器５側となる）ようにする。電磁弁３及び膨張弁４の詳細な構成などについては後述する。
【００２６】
蒸発器となる冷却器５は、熱交換により高温側冷媒を蒸発ガス化させる熱交換器である。上記したように、冷却器５における熱交換により冷却対象空間となる冷蔵室１００内の空気を冷却する。これにより、例えば冷却対象空間内に収容された冷却対象物等の冷凍、冷蔵等を行う。また、コントローラ５０は、本実施の形態においては、電磁弁３の開閉制御を行う。
【００２７】
図３はこの発明の実施の形態に係る電磁弁３及び膨張弁４の構造等を説明するための図である。図３では電磁弁３を閉弁して冷媒を流さない状態を表している。電磁弁３において、プランジャー３１は、加わる力により、一体となったピストン３２とともに変位する。ピストン３２は、電磁弁３内において変位し、流入側通路３６と冷媒流路３８との間の部分（開閉部分）において、流路の開放又は閉塞を行う。プランジャーばね３３は、プランジャー３１に対して吸引子３４の吸引する力とは反対方向に力を加える。このため、吸引子３４による力が働いていない状態では、ピストン３２（プランジャー３１）は流入側通路３６と冷媒流路３８の間を閉塞することとなる。吸引子３４は、電磁弁コイル３５の励磁によってプランジャー３１を引き寄せる。電磁弁コイル３５は、コントローラ５０からの信号により電流が供給されると吸引子３４を励磁する。
【００２８】
流入側通路３６は、凝縮器２からの冷媒が流入する流路である。ねじ込み継ぎ手部分にあるおねじ部３７は、膨張弁４側のめねじ部４３と組み合わせて電磁弁３と膨張弁４との間を一体的に固定する。冷媒流路３８は電磁弁３のピストン３２（開閉部分）と膨張弁４のオリフィス４１との間における流路である。本実施の形態では、冷媒配管を介して電磁弁３と膨張弁４とを接続していないため、冷媒流路３８は電磁弁３と膨張弁４とにより形成される。
【００２９】
一方、膨張弁４において、オリフィス４１は、冷媒流路３８と流出側通路４４との間の部分（流量制御部分）において冷媒の流量を調整する。例えば、感温筒の温度に基づいて加わる圧力とばね４２の弾性力とによって変位して流量制御部分における流路の開口面積を変化させて流量を調整する。ここで、冷媒による衝撃圧がばね４２に直接加わらない構造とするため、本実施の形態では、冷媒流路３８を通過する冷媒の流れる方向とオリフィス４１が変位する方向とが直交するようにオリフィス４１を配置する。
【００３０】
ばね４２は、オリフィス４１を変位させるための力を加える。ねじ込み継ぎ手部分にあるめねじ部４３は、前述した電磁弁３側のおねじ部３７と組み合わせる。ここでは、電磁弁３がおねじ部３７を有し、膨張弁４がめねじ部４３を有しているが、電磁弁３がめねじ部４３を有し、膨張弁４がおねじ部３７を有するようにしてもよい。流出側通路４４は、冷媒が冷却器５側に流出する流路である。
【００３１】
次に図３などに示す電磁弁３と膨張弁４とにおける動作について説明する。例えばコントローラ５０からの信号により電磁弁コイル３５に電流が流れると吸引子３４が励磁する。これにより、吸引子３４は、プランジャーばね３３によって押し付けられているプランジャー３１を吸引子３４側に引きつける。これにより、プランジャー３１と一体となったピストン３２も吸引子３４側に引き寄せられる。ピストン３２が吸引子３４側に引き寄せられることで、電磁弁３内の流入側通路３６と冷媒流路３８とが連通し、冷媒が冷媒流路３８を流れる。冷媒流路３８を通過した冷媒はオリフィス４１の間を通過し、さらに流出側通路４４を通過して流出する。流出した冷媒は冷却器５に流れる。
【００３２】
ここで、ばね４２は図示していない感温筒からの圧力に基づいて伸縮し、釣り合った位置で静止する。これにより、ばね４２の一端と接続したオリフィス４１の位置も感温筒が検知する温度により定まることになる。ここで、冷却器５の冷媒流出口側の過熱度（スーパーヒート）が設定値になる調整を行えるように、感温筒の温度とオリフィス４１の位置との関係を定めている。そして、オリフィス４１の位置が流出側通路４４側に近い場合には、連通する部分の流路が狭くなり、高圧の冷媒は大きな圧力損失を受けて低圧へと膨張する。また、オリフィス４１の位置がばね４２側に近い場合には流路が広くなり、圧力損失が少ない状態で低圧へと膨張する。
【００３３】
次にシステムによる冷却運転を含めた電磁弁３などの動作について説明する。冷蔵室１００内が目標とされる温度になるように、コントローラ５０が冷凍・冷蔵システムの運転を制御する。一般的な制御として冷蔵室１００内の温度が目標としている温度を下回ると、冷媒が冷却器５に流れないようにするために、電磁弁３が閉となるような信号を送る。閉の信号が送られると、電磁弁３において、電磁弁コイル３５が非通電となり、上記のとおりピストン３２が冷媒流路３８への流路を遮って冷媒の流れを遮断する。
【００３４】
その後、設定値以下の低圧圧力になることで、コントローラ５０は圧縮機１に圧縮機停止信号を送り、冷却運転を停止させる。例えばアイスクリームなどの冷凍食品を冷やす倉庫を冷蔵室１００とした場合、冷蔵室１００内の温度は−２５℃以下に保たれることが多い。また牛乳や乳製品を保管する場合には５℃前後に保つことが多い。以上のように、冷蔵室１００の設定温度は冷やす品物によって変えられるものである。
【００３５】
冷媒が遮断され、圧縮機１が停止することで冷却運転が停止すると、冷蔵室１００内の温度は少しずつ上昇していく。冷蔵室１００の温度がある一定値以上上昇すると（例えば３Ｋ〜５Ｋに設定されることが多い）、コントローラ５０は、電磁弁３が閉となるような信号を送る。開の信号により電磁弁コイル３５に通電する。電磁弁コイル３５に通電されることにより、上記のとおりピストン３２が吸引子３４側に引き寄せられる。吸引子３４側にピストン３２が引き寄せられることにより、遮断されていた冷媒が冷媒流路３８側に一気に流れ込む。
【００３６】
冷媒が遮断されている間、電磁弁３の上流側の冷媒配管内に留まっている冷媒の一部は、冷蔵室１００内部にあるため、場合によっては冷蔵室１００内部の温度と同じ−２５℃前後まで冷やされる可能性もある。電磁弁３の上流の冷媒は高圧冷媒であり、通常運転時は高圧圧力の飽和温度に対して５Ｋ分程度、過冷却された状態である。しかし、流路の遮断によって冷蔵室１００内部に留まる高圧液冷媒は、高圧飽和温度が４０℃とすると、過冷却度が６５Ｋとなっている場合もある。例えばＲ４１０Ａを冷媒とし、高圧圧力が２．３ＭＰａ（飽和温度が約４０℃）の場合、温度が３５℃の液冷媒の密度が１００７ｋｇ／ｍ３であるのに対し、−２５℃における密度は１２６９ｋｇ／ｍ３と３５℃の状態に対して２６％も高密度となる。
【００３７】
図４は電磁弁３と膨張弁４との間の空間容積と衝撃圧との関係を表す図である。そして、電磁弁３が開弁すると、高密度の冷媒は、電磁弁３側から膨張弁４側に一気に流れ込む。そして、膨張弁４のオリフィス４１により堰き止められることで液ハンマー現象が発生する。空間容積がほどほど大きい場合、流れ込んだ冷媒の行き場がなくなり液圧縮状態となり非常に大きな衝撃圧が発生することになる。液ハンマー現象による衝撃圧ΔＰは、次式（１）のように、液密度ρ、冷媒移動速度Ｖに比例する。Ｃは音速である。例えば空間容積が３００００ｍｍ３程度で発生する液ハンマー現象による衝撃圧は１１ＭＰａを超える。一般的に、膨張弁などの機器は７ＭＰａを超える衝撃圧を繰り返し加えることで破損する可能性がある。
ΔＰ＝ρ・Ｖ・Ｃ                                              …（１）
【００３８】
これに対し、本実施の形態における冷却装置においては、電磁弁３と膨張弁４との間に接続する冷媒配管を短くする、冷媒配管で接続せずに一体となるように接続するなどして、空間容積を０又は非常に小さくする。例えば、従来では、電磁弁３と膨張弁４との間を銅配管で溶接接続することが一般的である。このように溶接接続する場合には、最低でも電磁弁３と膨張弁４との間の流路における空間容積は５０００ｍｍ３以上必要となるため、液ハンマー現象が生じ、衝撃圧が非常に大きなものとなる。空間容積を０又は非常に小さくすることにより、電磁弁３により堰き止められた冷媒の流れが勢いづく前に膨張弁４に流入するようにし、損傷を受けやすいオリフィス４１に対する衝撃圧を少なくする。また、電磁弁３を開弁しても膨張弁４に冷媒が一気に流れ込まないようにすることで、オリフィス４１における隙間（流路）から流出側通路４４（冷却器５）側へ流出することができる。このため、冷媒回路閉塞による液圧縮状態が発生せず、液ハンマー現象が発生しない。例えば、本実施の形態のように、電磁弁３の開閉部分と膨張弁４の流量調整部分との間である冷媒流路３８における空間容積を、０から５００ｍｍ３以下にすることにより、発生する衝撃圧を４ＭＰａ程度まで低減させることができる。この衝撃圧まで低減することができると上記記載の膨張弁の破損限界である７ＭＰａ以下に抑えることができる。
【００３９】
以上のように、実施の形態１の冷却装置によれば、電磁弁３と膨張弁４との間を接続する冷媒配管を短くする又はなくすことにより、電磁弁３の開閉部分と膨張弁４流量調整部分との間にある冷媒流路３８の空間容積が０以上５００ｍｍ３以下となるようにしたので、例えばシステムの運転を再開する場合などにおいて、電磁弁３を開弁した場合に、電磁弁３の開閉部分において堰き止められていた冷媒が勢い付いた状態で一気に流入しないようにすることができ、液封状態の発生、液ハンマー現象の発生を防ぐことができる。このため、冷媒によって膨張弁４の流量調整部分に加わる衝撃圧を抑えることができ、損傷を防止することができる。このため、長期間正常な動作状態を維持させることができ、信頼性が高い冷却装置を得ることができる。このため、例えば冷却対象空間となる冷蔵室１００内の温度上昇を引き起こさずにすみ、冷蔵室１００の収容物（冷却対象物）の品質を低下させないようにすることができる。また、液ハンマー現象による非常に大きな衝撃が加わることにより発生する異常音、異常振動を防止することができる。
【００４０】
また、液密度を小さくするための過冷却運転の制限制御を行わずに液ハンマー現象を発生させないようにしたので、消費電力低減および能力増大をはかることができる。そして、電磁弁３の上流側配管をヒータなどにより加熱する必要がないので、ヒータ及びヒータの設置に係るコストが発生せず、また、消費電力の低減、冷却能力の維持をはかることができる。さらにヒータを加熱するために電力を必要としないので、省エネルギーをはかることができる。
【００４１】
そして、実施の形態１の冷却装置においては、冷媒流路３８の空間容積を小さくするために、ねじ込み式により電磁弁３と膨張弁４とを直接接続して一体化するようにしたので、例えば、電磁弁３、膨張弁４のいずれかに不具合が生じた場合でも、交換を容易に行うことができる。このため、交換不要の部品まで交換する必要がなくなり省資源化をはかることができる。また、電磁弁３と膨張弁４をねじ込み式にすることにより非常に省スペースの機器を提供することが可能となる。
【００４２】
また、本実施の形態の冷却装置においては、冷媒の流れに対して、電磁弁３の下流側に膨張弁４を配置するようにしたので、気液二相となった冷媒が電磁弁３における口径の小さい流路を通過しなくてよいので、効率のよい運転を行うことができる。また、電磁弁３を小型化することができるため、小さい力で弁を開閉することができるため、コスト低減をはかることができる。また、冷却装置２０内部に収容することができる。
【００４３】
また、膨張弁４を感温筒式で構成するようにしたので、電子式膨張弁を制御する際に用いる専用の制御基板用ボックスを電子式膨張弁近隣に配置する必要がない。このため、ボックス及びボックス配置作業の必要がなく、コスト低減をはかることができる。
【００４４】
また、電磁弁３からでた冷媒の流れる方向と膨張弁４のオリフィス４１の移動方向とが直角となるように配置するようにしたので、衝撃圧がばね４２に直接的に加わることを防止することができる。このため、非常に信頼性の高い冷却装置を提供することができる。
【００４５】
また、実施の形態の冷却装置では、冷媒の液密度に関係なく、膨張弁４に加わる衝撃圧を低減することができるため、電磁弁３及び膨張弁４を低温環境下の冷蔵室１００内に配置することができる。このため、膨張弁４と冷却器５とを接続する冷媒配管を短くすることができ、膨張弁４と冷却器５との間の冷媒配管で熱交換してしまうことなく、気液二相冷媒が冷却器５に流入するので、冷却能力を損なうことなく、効率のよい運転を行うことができる。また、膨張弁４と冷却器５との間の冷媒配管における熱交換により、結露させてしまうことがなく、また結露水防止のための保温材の巻きつけなどの必要もなくコストダウンおよび作業性改善の機器を提供することが可能となる。また電磁弁３と膨張弁４とを冷却器５と同じ筐体に収容することができる。
【００４６】
実施の形態２．
上述の実施の形態では、電磁弁３と膨張弁４とをねじ込み方式で一体的に接続するようにしたが、これに限らず、一体に製造するようにしてもよい（図としては、図３においておねじ部３７、めねじ部４３がなくなったものと同じようなものとなる）。一体に製造することで、電磁弁３のおねじ部３７、膨張弁４のめねじ部４３の加工コストを低減することができる。また、一体化することで、あらかじめ省スペース設計の機器を提供することができる。
【００４７】
また、上述の実施の形態では、電磁弁３の開弁について特に規定しなかったが、例えば電磁弁３を複数段階に分けて開弁させるようにしても、液ハンマー現象を発生させないようにすることができる。
【符号の説明】
【００４８】
１  圧縮機、２  凝縮器、３  電磁弁、４  膨張弁、５  冷却器、１０  冷凍機、２０  冷却装置、３１  プランジャー、３２  ピストン、３３  プランジャーばね、３４  吸引子、３５  電磁弁コイル、３６  流入側通路、３７  おねじ部、３８  冷媒流路、４１  オリフィス、４２  ばね、４３  めねじ部、４４  流出側通路、５０  コントローラ、１００  冷蔵室。
【図１】
2015028423.tif 000003
【図２】
2015028423.tif 000004
【図３】
2015028423.tif 000005
【図４】
2015028423.tif 000006